(57)【要約】      （修正有）【課題】簡易、低コストで堆肥が製造できる新規な堆肥用被覆資材及び簡易堆肥化施設を提供する。【解決手段】堆肥原料２及び堆肥に被覆して用いる堆肥用被覆資材１において、該堆肥用被覆資材１は遮光率50％以下のポリオレフィン系樹脂フィルムからなり、該ポリオレフィン系樹脂フィルムに複数の孔ｐが形成されている堆肥用被覆資材１、及び堆肥原料２及び堆肥に被覆して用いる堆肥用被覆資材１において、該堆肥用被覆資材１は遮光率50％以下のポリオレフィン系樹脂フィルムからなり、該ポリオレフィン系樹脂フィルムの幅方向の被覆中央領域には、複数の孔ｐが形成されており、幅方向の被覆両端側領域１０１には、実質的に孔が形成されていない堆肥用被覆資材１、及び該堆肥用被覆資材１を備えた簡易堆肥化施設。【選択図】        図２
2005104789.tif 000002
【特許請求の範囲】
【請求項１】
堆肥原料及び堆肥に被覆して用いる堆肥用被覆資材において、該堆肥用被覆資材は遮光率50％以下のポリオレフィン系樹脂フィルムからなり、該ポリオレフィン系樹脂フィルムに複数の孔が形成されていることを特徴とする堆肥用被覆資材。
【請求項２】
孔の形状が円形であり、該孔の径は０．５〜５．０ｍｍであり、孔の密度がフィルム1000ｃｍ２当り１〜2000個であることを特徴とする請求項１記載の堆肥用被覆資材。
【請求項３】
堆肥原料及び堆肥に被覆して用いる堆肥用被覆資材において、該堆肥用被覆資材は遮光率50％以下のポリオレフィン系樹脂フィルムからなり、該ポリオレフィン系樹脂フィルムの幅方向の被覆中央領域には、複数の孔が形成されており、幅方向の被覆両端側領域には、実質的に孔が形成されていないことを特徴とする堆肥用被覆資材。
【請求項４】
被覆中央領域に形成される孔の形状が円形であり、該孔の径は０．５〜５．０ｍｍであり、孔の密度がフィルム1000ｃｍ２当り１〜2000個であることを特徴とする請求項３記載の堆肥用被覆資材。
【請求項５】
地面を掘削して形成された発酵堆肥盤槽と、該発酵堆肥盤槽に敷設された防水性を有する下敷き用シートと、該下敷き用シートの上に戴置された堆肥原料と、該堆肥原料の上に被覆してなる請求項１〜４の何れかに記載の堆肥用被覆資材を備えたことを特徴とする簡易堆肥化施設。
【発明の詳細な説明】
【技術分野】
【０００１】
本発明は堆肥用被覆資材及び簡易堆肥化施設に関し、詳しくは、簡易、低コストで堆肥が製造できる堆肥用被覆資材及び簡易堆肥化施設に関する。
【背景技術】
【０００２】
従来、畜産農家では家畜排せつ物は野積みや素掘によって対応してきた。しかし、家畜の糞や尿を野積みや素掘にすると、家畜排せつ物中に含まれる窒素やリンなどが近隣の河川や地下水に流れ込み、水質汚染につながるだけでなく、大腸菌やクリプトスポリジウムなどの病原性微生物も地下水や水源を汚染し、人命を脅かす可能性がある。
【０００３】
平成11年に家畜排せつ物法が施行され、野積みや素掘を解消するために、堆肥化施設や汚水処理施設の整備が進められ、更に平成16年11月1日から「家畜排せつ物の管理の適正化及び利用の促進に関する法律」の管理基準が適用されることになった。
【０００４】
この基準を適用されると、畜産農家は野積みや素掘ができなくなり、野積みや素掘に代わる何らかの対策を講じなければならない。
【０００５】
かかる対策として、土木建築工事を伴った堆肥化施設や汚水処理施設を設けることが考えられるが、畜産農家にとっては莫大な施設設置費用がかかることになる。かかる施設を設置できる畜産農家がいたとしてもそれは資金力に優れる一部大規模畜産農家に限られる。  
【０００６】
わが国の畜産農家の大半は、資金力に乏しい小規模畜産農家であり、土木建築工事を伴った堆肥化施設や汚水処理施設を設けることはできず、結局、畜産自体を止めなければならない事態を招きかねない状況下にある。
【０００７】
従って、資金力に乏しい小規模畜産農家であっても、上記管理基準を満足する施設を製造できる技術の開発が望まれる。具体的には、簡易、低コストで堆肥が製造できる技術の開発が望まれる。
【特許文献１】特開２００１−２１１７６１公報
【発明の開示】
【発明が解決しようとする課題】
【０００８】
そこで、本発明の課題は、簡易、低コストで堆肥が製造できる新規な堆肥用被覆資材及び簡易堆肥化施設を提供することを課題とする。
【課題を解決するための手段】
【０００９】
上記課題は、以下の各発明によって解決される。
【００１０】
（請求項１）
堆肥原料及び堆肥に被覆して用いる堆肥用被覆資材において、該堆肥用被覆資材は遮光率50％以下のポリオレフィン系樹脂フィルムからなり、該ポリオレフィン系樹脂フィルムに複数の孔が形成されていることを特徴とする堆肥用被覆資材。
【００１１】
（請求項２）
孔の形状が円形であり、該孔の径は０．５〜５．０ｍｍであり、孔の密度がフィルム１０００ｃｍ２当り１〜２０００個であることを特徴とする請求項１記載の堆肥用被覆資材。
【００１２】
（請求項３）
堆肥原料及び堆肥に被覆して用いる堆肥用被覆資材において、該堆肥用被覆資材は遮光率50％以下のポリオレフィン系樹脂フィルムからなり、該ポリオレフィン系樹脂フィルムの幅方向の被覆中央領域には、複数の孔が形成されており、幅方向の被覆両端側領域には、実質的に孔が形成されていないことを特徴とする堆肥用被覆資材。
【００１３】
（請求項４）
被覆中央領域に形成される孔の形状が円形であり、該孔の径は０．５〜５．０ｍｍであり、孔の密度がフィルム１０００ｃｍ２当り１〜２０００個であることを特徴とする請求項３記載の堆肥用被覆資材。
【発明の効果】
【００１４】
本発明によると、簡易、低コストで堆肥が製造できる新規な堆肥用被覆資材及び簡易堆肥化施設を提供することができる。  
【発明を実施するための最良の形態】
【００１５】
本発明の堆肥用被覆資材は、基本的には、堆肥原料を堆肥化する過程や製造後の堆肥を保管する過程で用いるもので、本発明の堆肥製造施設に用いる場合に、最も効果を発揮する。
【００１６】
図１は、堆肥製造施設に堆肥用被覆資材を使用した例を示す断面説明図である。
【００１７】
同図において、１は堆肥用被覆資材であり、２は堆肥原料であり、３は下敷き用シートであり、４は発酵堆肥盤槽である。
【００１８】
本発明における堆肥製造の第１の工程は、地面を掘削して発酵堆肥盤槽４を形成することである。発酵堆肥盤槽４は地面にパワーショベルやスコップなどで図示のような断面形状に掘削する。
【００１９】
発酵堆肥盤槽４の大きさは、例えば表１に示す形態が挙げられる。
【００２０】
【表１】
2005104789.tif 000003
【００２１】
発酵堆肥盤槽４は、長手方向の中央に、幅２０ｃｍ、深さ２０ｃｍ程度の溝４０を形成する。
【００２２】
４２は左底部、４３は右底部、４４は左土手部、４５は右土手部である。左底部４２と右底部４３は両土手部４４、４５から溝４０に向かって傾斜させることが好ましい。堆肥原料中の尿等の排水を溝４０に集め易くするためである。
【００２３】
発酵堆肥盤槽４を形成したら、その発酵堆肥盤槽４の上面一体に下敷き用シート３を敷設する。下敷き用シート３が敷設された溝４０の部位には集水パイプ４１を埋設する。集水パイプ４１は溝４０に集められる排水を集水して図示しない排水貯槽に移送する役割を果たす。
【００２４】
下敷き用シート３は防水性を有するシートが好ましく、例えば芳賀ビニール社製「クロスラムシート」を用いることができる。
【００２５】
下敷き用シート３は上記表１の発酵堆肥盤槽４の大きさに対応して表２に示す大きさのシートを用いるのが好ましい。
【００２６】
【表２】
2005104789.tif 000004
【００２７】
上記下敷き用シート３の上に、砂利や砂、土などを敷き、堆肥盤（図示せず）を形成する。堆肥盤の上に、堆肥原料を積んでいく。
【００２８】
堆肥原料は、副資材と家畜排せつ物を混合し、水分含有率７０％以下、容積重６８０〜７００Ｋｇ／ｍ３に調整する。
【００２９】
混合は、マニュアスプレッター等を利用して行うか、あるいは家畜糞と副資材を交互に積み上げ、ローダー等で移し替えることによって行う。
【００３０】
水分調整は、おがくずやもみがらなどを混合することによって行うことができる。
【００３１】
堆肥原料は山状に積み上げ、図示の例では高さＨ１に積み上げられている。
【００３２】
この施設では堆肥原料の山の中には、酸素を供給するために図示しない空気管を挿入してある。
【００３３】
山状の堆肥原料の上には、図示のように堆肥用被覆資材１が被覆されているが、かかる堆肥用被覆資材１の両側は風で飛ばされないように、例えばタイヤ１０などによって固定されている。
【００３４】
本発明の堆肥用被覆資材１の第１の態様は、該堆肥用被覆資材は遮光率５０％以下、好ましくは３０％以下のポリオレフィン系樹脂フィルムからなり、該ポリオレフィン系樹脂フィルムに複数の孔ｐが形成されていることである。
【００３５】
遮光率は、分光光度計（例えば日立Ｕ−３２１０型）を用い、波長４００〜７００ｎｍの所謂可視光域の透過率を測定し、その平均値より算出する。遮光率＝１００−平均透過率の式から、遮光率が求められる。
【００３６】
遮光率が５０％を超えると、堆肥にカビが繁殖するなどの弊害が生じ、好ましくない。
【００３７】
本発明では、上記の透過率を満足する場合には、透明、白色、又は着色のフィルムであってもよい。
【００３８】
複数の孔ｐの形状は円形、四角形等の多角形、菱形、楕円等のいずれでもよい。円形の場合、その直径は０．５〜５．０ｍｍの範囲が良好な堆肥を形成する上で好ましく、孔の密度はフィルム１０００ｃｍ２当り１〜２０００個であることが良好な堆肥を形成する上で好ましい。
【００３９】
本発明において、孔の配列は格子状でも、千鳥状でもよい。
【００４０】
ポリオレフィン系樹脂フィルムとしては、単層でも多層でもよく、樹脂原料としては、低密度ポリエチレン（ＬＤＰＥ）フィルム、直鎖低密度ポリエチレン（Ｌ−ＬＤＰＥ）フィルム、エチレン−酢酸ビニル共重合体（ＥＶＡ）フィルムなどが挙げられる。これらの樹脂原料はブレンドして用いてもよい。
【００４１】
本発明の堆肥用被覆資材１の第２の態様は、該堆肥用被覆資材がポリオレフィン系樹脂フィルムからなり、該ポリオレフィン系樹脂フィルムの幅方向の被覆中央領域には、複数の孔ｐが形成されており、幅方向の被覆両端側領域には、実質的に孔が形成されていないことを特徴とする。
【００４２】
この態様の効果は本発明の堆肥製造施設の現実的な課題を解決しうる点である。図１に示す状態では、堆肥原料は高さＨ１であるが、堆肥の発酵・熟成が進行すると、図２に示す状態に至る。なお、図２において、図１と同一の符号の部位は同一の構成であるので、その説明を省略する。
【００４３】
図２に示す状態は発酵・熟成が進行したことにより堆肥高さがＨ２まで落下（減量化）している。
【００４４】
このような状態では該ポリオレフィン系樹脂フィルムの側面に破線で示すような水溜り１１が発生する場合がある。
【００４５】
このような場合に、その部分にフィルム孔が存在していると、その孔から堆肥原料に降雨等により水が入り、折角調整されている堆肥原料の水分含有率が高くなり、堆肥製造が良好に進まなくなる問題がある。これを解決するのが第２の態様である。
【００４６】
即ち、第２の態様は、堆肥原料及び堆肥に被覆して用いる堆肥用被覆資材において、該堆肥用被覆資材は遮光率遮光率５０％以下、好ましくは３０％以下のポリオレフィン系樹脂フィルムからなり、該ポリオレフィン系樹脂フィルムの幅方向の被覆中央領域には、複数の孔ｐが形成されており、幅方向の被覆両端側領域には、実質的に孔が形成されていないことを特徴とする。
【００４７】
堆肥用被覆資材は遮光率５０％以下、好ましくは３０％以下の透明、白色、又は着色のポリオレフィン系樹脂フィルムからなる構成については前述したことを援用する。
【００４８】
図３には、第２の態様のフィルムが示されており、１は堆肥用被覆資材であるポリオレフィン系樹脂フィルムであり、１００は幅方向の被覆中央領域であり、１０１、１０２は幅方向の被覆両端側領域である。
【００４９】
被覆中央領域１００には、複数の孔ｐが形成されており、被覆中央領域に形成される孔の形状が円形である場合、該孔の径は０．５〜５．０ｍｍの範囲が良好な堆肥を形成する上で好ましく、孔の密度はフィルム１０００ｃｍ２当り１〜２０００個であることが好ましい。
【００５０】
この被覆中央領域１００は、図２に示すように、堆肥を被覆している場合にその天井部を含む中央部分に当たる。
【００５１】
被覆中央領域の幅Ｌ１は、堆肥用被覆資材の幅Ｌに対し、３〜３．６×Ｌであり、被覆両端側領域の幅Ｌ２は１．２〜１．５×Ｌであることが好ましい。
【００５２】
被覆両端側領域１０１、１０２は上述のように、水溜りが生じやすい部分（図２参照）であり、堆肥を被覆している場合にその両側面側領域に当たる。
【００５３】
本発明のフィルムの厚みは、５０〜２００μｍの範囲が好ましく、より好ましくは５０〜１３０μｍの範囲である。
【００５４】
本発明のフィルムは、インフレーション成形法、Ｔダイ成形法を用いて、製膜（成形）することによって製造することができる。
【００５５】
本発明のフィルムには、通常使用される酸化防止剤、滑剤、アンチブロッキング剤、耐候剤、紫外線吸収剤、防曇剤、帯電防止剤、無機質フィラー（保温剤）、顔料等を必要に応じて配合することができる。
【実施例】
【００５６】
以下、実施例によって、本発明を例証する。
【００５７】
実施例１
【００５８】
１．堆肥用被覆資材
みかど化工社製白フィルム「コンポストン」を使用した。主な仕様等は、以下の通りである。
【００５９】
１）ベース樹脂：ＥＶＡ
２）製膜法：インフレーション成形法
３）遮光率：１０％
４）厚み：１００μｍ
５）幅×長さ：６ｍ×１０ｍ
６）被覆中央領域の幅Ｌ１＝３．６ｍｍ
この領域に孔直径３ｍｍの丸孔を格子状に配置した。
孔密度＝フィルム１０００ｃｍ２当り５個
７）被覆両端側領域の幅Ｌ２＝１．２ｍ
この領域に孔は形成しなかった。
【００６０】
２．堆肥製造施設
１）発酵堆肥盤槽の仕様：  表１の１型を使用した。
２）下敷き用シート：芳賀ビニール社製「クロスラムシート」
大きさ：表２の１型を使用した。
３）上記下敷き用シートの上に、砂利や砂、土を敷き、堆肥盤を形成し、その堆肥盤の上に、堆肥原料を積んだ。
【００６１】
堆肥原料は副資材と家畜排せつ物を混合し、籾殻で水分調整し、水分含有率７０％以下、容積重７００Ｋｇ／ｍ３に調整した。堆肥原料は山状に積み上げ、その中に酸素を供給するために空気管を挿入した。
【００６２】
山状の堆肥原料の上に、１月３１日に被覆資材を被覆し、両側は風で飛ばされないように、タイヤによって固定した。
【００６３】
上記のようにして、約３．５ヵ月放置した状態で、堆肥製造を行った。
【００６４】
３．効果の確認
１）カビの発生がない：目視により確認した。
２）水分調整が良好か否か：含水率を測定した。
【００６５】
４．結果
１）カビの発生は堆肥製造の最後まで認められなかった。
２）堆肥中の水分は、堆肥製造の最後まで含水率７０％以下を維持した。
【００６６】
比較例１
【００６７】
実施例１において、フィルムにカーボンブラックを添加し、黒色に着色し、被覆資材の遮光率を９５％に代えた以外は、同様にして堆肥製造を行い、効果の確認を行った。
【００６８】
その結果、製造開始後３８日後にカビの発生が認められた。
比較例２
【００６９】
実施例１において、被覆資材の被覆両端側領域にも、被覆中央領域と同様に、同様の孔を設けた以外は、同様にして堆肥製造を行い、効果の確認を行った。
【００７０】
その結果、被覆中央領域からは雨水が入らないが、被覆両端側領域の孔から雨水が入り、水分調整が順調に運ばず、良好な堆肥が得られなかった。
【図面の簡単な説明】
【００７１】
【図１】堆肥製造施設に堆肥用被覆資材を使用した例を示す断面説明図
【図２】発酵・熟成が進行したことにより堆肥高さが落下している状態を示す図
【図３】本発明の堆肥用被覆資材の好ましい態様を示す説明図
【符号の説明】
【００７２】
１：堆肥用被覆資材
１００：幅方向の被覆中央領域
１０１、１０２：幅方向の被覆両端側領域
２：堆肥原料
３：下敷き用シート
４：発酵堆肥盤槽
４０：溝
４１：集水パイプ
４２：左底部
４３：右底部
４４：左土手部
４５：右土手部
ｐ：複数の孔
【図１】
2005104789.tif 000005
【図２】
2005104789.tif 000006
【図３】
2005104789.tif 000007